(57)【要約】【課題】携帯端末の利用主体の運動状態を、より簡易に、且つより正確に求めることができる運動管理装置、運動管理システム、運動管理方法、およびプログラムを提供する。【解決手段】運動管理システム１は、携帯端末１００と、運動管理装置２００とを備える。携帯端末１００は、携帯端末１００の位置を特定する位置情報と、携帯端末１００に備えられた加速度センサ１０１によって取得された、携帯端末１００の運動情報と、前記位置での気温情報と、を、運動管理装置２００の受信部２０１へ出力する。運動管理装置２００の運動推測部２０７は、前記位置情報および前記運動情報に基づいて、携帯端末１００の利用主体が行う運動を推測する。運動管理情報作成部２０８は、推測された前記運動および前記気温情報に基づいて、利用主体の運動を管理するための運動管理情報を作成する。送信部２１２は、運動管理情報を、携帯端末１００へ送信する。【選択図】図１
2013037543.tif 000002
【特許請求の範囲】
【請求項１】
携帯端末の位置を特定する位置情報と、前記携帯端末に備えられた加速度センサによって取得された、前記携帯端末の運動情報と、前記位置での気温情報と、を受信する受信部と、
前記位置情報および前記運動情報に基づいて、前記携帯端末の利用主体が行う運動を推測する運動推測部と、
推測された前記運動および前記気温情報に基づいて、前記利用主体の運動を管理するための運動管理情報を作成する運動管理情報作成部と、
前記運動管理情報を外部に送信する送信部と、
を備えていることを特徴とする、運動管理装置。
【請求項２】
前記運動管理情報作成部は、予めデータベースに格納されている、前記位置の気温を予想した予想気温情報と、前記位置での前記気温情報とを参照し、前記位置での気温が所定値以上となり得る場合に、前記利用主体に対する注意を促す注意喚起情報を含む前記運動管理情報を作成する、請求項１に記載の運動管理装置。
【請求項３】
前記運動管理情報は、推測された前記運動によって前記利用主体が消費した運動消費カロリー、前記運動が行われた時間、および前記運動によって前記利用主体が移動した距離の少なくとも１つを含む、請求項１または請求項２に記載の運動管理装置。
【請求項４】
前記運動情報を処理する運動情報処理部を更に備え、
前記運動情報処理部は、予めデータベースに格納されている、前記利用主体が運動を行う際の前記利用主体の動作を予測した参照パターンと、前記運動情報に基づいて得られる前記利用主体の動作パターンとを比較することにより、前記利用主体の運動パターンを識別する、請求項１〜請求項３のいずれかに記載の運動管理装置。
【請求項５】
前記位置情報を処理するための位置情報処理部を更に備え、
前記位置情報処理部は、予めデータベースに格納されている地図情報および施設情報に基づいて、前記位置に関する施設情報を特定し、
前記運動推測部は、前記位置情報処理部によって特定された前記位置に関する施設情報と、前記識別された運動パターンとを参照することにより、前記運動を推測する、請求項４に記載の運動管理装置。
【請求項６】
前記位置情報処理部は、前記位置情報から前記携帯端末の前記位置の変化を特定し、特定した変化に基づいて前記携帯端末の移動速度を求め、求めた移動速度の情報を前記運動推測部へ出力し、
前記運動推測部は、前記移動速度を参照して前記運動を推測する、請求項５に記載の運動管理装置。
【請求項７】
加速度センサを有し、利用主体によって保持される携帯端末と、
前記利用主体の運動を管理する運動管理装置と、を備え、
前記運動管理装置は、
前記携帯端末の位置を特定する位置情報と、前記加速度センサによって取得された、前記携帯端末の運動情報と、前記位置での気温情報と、を受信する受信部と、
前記位置情報および前記運動情報に基づいて、前記利用主体が行う運動を推測する運動推測部と、
推測された前記運動および前記気温情報に基づいて、前記利用主体の運動を管理するための運動管理情報を作成する運動管理情報作成部と、
前記運動管理情報を外部へ送信する送信部と、
を備えていることを特徴とする、運動管理システム。
【請求項８】
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を含むことを特徴とする、運動管理方法。
【請求項９】
コンピュータに、
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を実行させる、プログラム。
【発明の詳細な説明】
【技術分野】
【０００１】
本発明は、携帯端末の利用主体の運動に関する情報を管理する、運動管理装置、運動管理システム、運動管理方法、およびプログラムに関する。
【背景技術】
【０００２】
ＧＰＳ（Global Positioning System）を用いることにより、ＧＰＳ端末を使用する使用者の行動を推定する技術が知られている（例えば、特許文献１参照）。また、運動施設内にて運動機器を用いない運動を行う領域において、利用者が行う運動の種類を把握できる通信システムが知られている（例えば、特許文献２参照）。
【０００３】
特許文献１に記載の構成では、ＧＰＳにより測位した時系列データを地図情報上にプロットする作業が行われる。その結果、道路上をある速度で移動していることが判明すれば、その移動速度に基づき、歩行、ジョギング、又は自転車による移動が行われていると推定される。
【０００４】
特許文献２に記載の構成では、運動施設を利用している利用者の氏名、性別、運動時間、運動内容、消費カロリー等の情報が、表示画面に表示される。
【先行技術文献】
【特許文献】
【０００５】
【特許文献１】特開平９−５３９５７号公報（[００１１]）
【特許文献２】特開２００８−２７６３５３号公報（[０１３３]）
【発明の概要】
【発明が解決しようとする課題】
【０００６】
ところで、携帯電話、スマートフォン等の携帯端末を利用する利用者の健康を管理するための健康情報サービスが知られている。健康情報を管理する健康情報管理システムでは、例えば、利用者の健康管理情報として、利用者の運動量および消費カロリーを計算する。これら運動量と消費カロリーの計算を行なう際、従来、ジョギングおよびウォーキング等の運動の種類、運動強度、および運動時間等を事前に手動で入力する必要があり、利用者が煩雑な入力処理を行っていた。
【０００７】
これに対し、特許文献１に記載の構成では、ＧＰＳにより測位した結果に基づき、利用者がどのような運動をしているかが推定される。よって、利用者は、煩雑な入力処理を行わなくて済む。
【０００８】
しかしながら、運動消費カロリーは、気温によって変化する可能性があるが、特許文献１、２では、運動消費カロリー計算の際等に、気温は考慮されていない。よって、特許文献１、２では、消費カロリーの計算精度が低くなる可能性がある。
【０００９】
本発明の目的の一例は、上記問題を解消し、携帯端末の利用主体の運動状態を、より簡易に、且つより正確に求めることができ得る運動管理装置、運動管理システム、運動管理方法、およびプログラムを提供することにある。
【課題を解決するための手段】
【００１０】
上記目的を達成するため、本発明の一側面における運動管理装置は、携帯端末の位置を特定する位置情報と、前記携帯端末に備えられた加速度センサによって取得された、前記携帯端末の運動情報と、前記位置での気温情報と、を受信する受信部と、
前記位置情報および前記運動情報に基づいて、前記携帯端末の利用主体が行う運動を推測する運動推測部と、
推測された前記運動および前記気温情報に基づいて、前記利用主体の運動を管理するための運動管理情報を作成する運動管理情報作成部と、
前記運動管理情報を外部に送信する送信部と、
を備えていることを特徴とする。
【００１１】
また、上記目的を達成するため、本発明の一側面における運動管理システムは、加速度センサを有し、利用主体によって保持される携帯端末と、
前記利用主体の運動を管理する運動管理装置と、を備え、
前記運動管理装置は、
前記携帯端末の位置を特定する位置情報と、前記加速度センサによって取得された、前記携帯端末の運動情報と、前記位置での気温情報と、を受信する受信部と、
前記位置情報および前記運動情報に基づいて、前記利用主体が行う運動を推測する運動推測部と、
推測された前記運動および前記気温情報に基づいて、前記利用主体の運動を管理するための運動管理情報を作成する運動管理情報作成部と、
前記運動管理情報を外部へ送信する送信部と、
を備えていることを特徴とする。
【００１２】
また、上記目的を達成するため、本発明の一側面における運動管理方法は、
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を含むことを特徴とする。
【００１３】
更に、上記目的を達成するため、本発明の一側面におけるプログラムは、コンピュータに、
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を実行させることを特徴とする。
【発明の効果】
【００１４】
以上のように、本発明によれば、携帯端末の利用主体の運動状態を、より簡易に、且つより正確に求めることが可能である。
【図面の簡単な説明】
【００１５】
【図１】図１は、本発明の実施の形態１における運動管理システムの構成を示すブロック図である。
【図２】図２（ａ）、（ｂ）は、加速度センサを用いて検出される運動情報について説明するための概念図であり、図２（ａ）は、検出される加速度の方向を示し、図２（ｂ）は、検出される加速度の時間変化を示している。
【図３】図３（ａ）、（ｂ）は、ＧＰＳ測位部を用いて検出される位置情報について説明するための概念図であり、図３（ａ）は、携帯端末の位置の変化から求められた、携帯端末の移動速度の時間変化を示し、図３（ｂ）は、位置情報によって特定される座標の一例を示している。
【図４】図４は、位置情報データベースに格納されている位置情報および施設情報について説明するための概念図である。
【図５】図５は、動作パターンと参照パターンとの関係を説明するための概念図である。
【図６】図６は、本発明の実施の形態１における運動管理システムおよび運動管理装置の動作を示すフロー図である。
【図７】図７は、運動管理情報作成の流れを説明するためのフロー図である。
【図８】図８は、本発明の実施の形態２における運動管理システムの構成を示すブロック図である。
【発明を実施するための形態】
【００１６】
（実施の形態１）
以下、本発明の実施の形態における運動管理装置、運動管理システム、運動管理方法、およびプログラムについて、図面を参照しながら説明する。
【００１７】
［システム構成］
最初に、本発明の実施の形態における運動管理システムの構成について図１を用いて説明する。図１は、本発明の実施の形態１における運動管理システム１の構成を示すブロック図である。
【００１８】
図１に示すように、運動管理システム１は、携帯端末１００と、運動管理装置２００と、を備えている。運動管理システム１は、携帯端末１００の位置を特定する位置情報と、携帯端末１００の運動情報と、携帯端末１００の現在地および周辺地域での気温情報と、を用いて、運動管理情報を作成し、携帯端末１００に表示させる。携帯端末１００には、携帯電話およびスマートフォン等が含まれる。
【００１９】
運動管理装置２００は、後述するように、例えば、サーバコンピュータによって構築することができる。運動管理装置２００は、受信部２０１と、運動推測部２０７と、運動管理情報作成部２０８と、送信部２１２と、を含んでいる。受信部２０１は、携帯端末１００においてＧＰＳ（Global Positioning System）を用いて得られた、携帯端末１００の位置を特定する位置情報を受信する。また、受信部２０１は、携帯端末１００に備えられる加速度センサ１０１を用いて得られた、携帯端末１００の運動情報を受信する。また、受信部２０１は、携帯端末１００に備えられる温度センサ１０３を用いて得られた、携帯端末１００の現在地および周辺地域の気温情報を受信する。
【００２０】
運動推測部２０７は、受信部２０１が受信した位置情報および運動情報に基づいて、携帯端末１００を利用する利用主体（利用者）が行う運動の種類を推測する。運動の種類として、ウォーキング、ジョギング、登山、およびサイクリング等を例示することができる。
【００２１】
運動管理情報作成部２０８は、運動推測部２０７で推測された運動の種類と、受信部２０１が受信した気温情報とに基づいて、携帯端末１００の利用主体の運動を管理するための運動管理情報を作成する。送信部２１２は、運動管理情報を携帯端末１００へ送信する。運動管理情報を受信した携帯端末１００は、当該運動管理情報を、携帯端末１００の表示部１１２の表示画面に表示する。
【００２２】
以上説明したように、本実施の形態では、運動推測部２０７が、携帯端末１００の利用主体の行っている運動を推測し、更に、運動管理情報作成部２０８が、利用主体の運動消費カロリー等の運動管理情報を作成する。これにより、利用主体は、運動を行う度に、運動の種類、運動強度、および運動時間等を入力するという煩雑な作業を行わずに済む。更に、運動管理情報作成部２０８は、利用主体が運動を行っている現在地および周辺地域での気温情報を用いて運動管理情報を作成することができる。
【００２３】
その結果、利用主体は、携帯端末１００に運動情報を入力する手間を省くことができる上に、気温を考慮した、より正確な運動消費カロリーを知ることができる。よって、本実施の形態では、携帯端末１００の利用主体の運動状態、例えば、消費カロリーを、より簡易に、且つ、より精度よく求めることができる。
【００２４】
以上が、運動管理システム１の概略説明である。次に、運動管理システム１の、より具体的な構成を図１に加え、図２〜図５を用いて説明する。
【００２５】
まず、本実施の形態では、運動管理システム１において、携帯端末１００は、固定装置を用いて利用主体に固定されているのが好ましい。利用主体は、例えば、固定装置を用いて携帯端末１００を体に固定した状態で、運動を行う。固定装置は、例えば、利用主体の腰に巻きつけられるベルトを含み、このベルトに携帯端末１００のケーシングを固定する。また、本実施の形態では、携帯端末１００は、利用主体の腰の近傍、即ち、利用主体の重心の近傍に固定されるのが特に好ましい。尚、携帯端末１００は、利用主体の運動時に比較的動きの大きい箇所としての腕に固定されてもよい。この場合、固定装置は、腕に巻かれるバンドを含む。
【００２６】
本実施の形態では、携帯端末１００は、加速度センサ１０１と、ＧＰＳ測位部１０２と、温度センサ１０３と、表示部１１２と、表示制御部１１３と、通信部１１４と、を備えている。
【００２７】
図２（ａ）および図２（ｂ）は、加速度センサ１０１を用いて検出される運動情報について説明するための概念図であり、図２（ａ）は、検出される加速度の方向を示し、図２（ｂ）は、検出される加速度の時間変化を示している。加速度センサ１０１は、携帯端末１００の運動を検出する運動検出センサとして設けられている。加速度センサ１０１は、例えば、半導体センサであり、図２（ａ）に示すように、互いに直交する３軸方向の加速度を検出可能である。図２（ｂ）では、３軸方向のうちの１軸方向（例えば、鉛直方向）における加速度の時間変化が例示されている。
【００２８】
本実施の形態では、加速度センサ１０１は、鉛直方向、および鉛直方向と直交する水平方向における加速度をそれぞれ検出する。水平方向は、利用主体が前進または後退する前後方向と、前後方向に直交する左右方向と、を含む。加速度センサ１０１は、上記３軸方向のそれぞれにおける加速度を測定するための情報を、携帯端末１００の運動情報として検出する。
【００２９】
図３（ａ）および図３（ｂ）は、ＧＰＳ測位部１０２を用いて検出される位置情報について説明するための概念図であり、図３（ａ）は、携帯端末１００の位置の変化から求められた、携帯端末１００の移動速度の時間変化を示し、図３（ｂ）は、位置情報によって特定される座標の一例を示している。
【００３０】
ＧＰＳ測位部１０２は、測位システムとしてのＧＰＳを用いて携帯端末１００の位置を測定する。ＧＰＳ測位部１０２は、地球の周りを公転するＧＰＳ衛星（図示せず）からの信号を受信し、図３（ｂ）に示すように、携帯端末１００の位置情報（緯度、経度、および高度）を取得することで、携帯端末１００の現在地を求める。また、図３（ａ）に示すように、運動管理装置２００は、位置情報を基に、携帯端末１００の移動速度を求める。
【００３１】
尚、ＧＰＳ測位部１０２は、３つのＧＰＳ衛星からの信号を受信可能な場合には、携帯端末１００の緯度および経度を求めることができる。また、ＧＰＳ測位部１０２は、４つ以上のＧＰＳ衛星からの信号を受信可能な場合には、携帯端末１００の緯度および経度に加えて、高度を求めることができる。
【００３２】
また、本実施の形態において、温度センサ１０３は、携帯端末１００の周囲の外気に接触するように配置されており、携帯端末１００の現在地の気温を測定するための情報を、温度情報として出力する。表示部１１２は、例えば、携帯端末１００の一側面に設けられた液晶ディスプレイ等である。
【００３３】
本実施の形態では、通信部１１４は、基地局等を含む通信ネットワーク５０１を介して、運動管理装置２００との間でデータの送受信を行う。通信部１１４は、送信部１１５と、受信部１１６とを含む。送信部１１５は、加速度センサ１０１、ＧＰＳ測位部１０２、および温度センサ１０３とそれぞれ接続されている。送信部１１５は、加速度センサ１０１で取得された運動情報、ＧＰＳ測位部１０２で取得された位置情報、および温度センサ１０３で取得された気温情報を、運動管理装置２００へ送信する。送信部１１５は、これらの情報を定期的に、例えば、１秒間に１回、運動管理装置２００へ送信する。
【００３４】
受信部１１６は、運動管理装置２００から送信されるデータを受信する。受信部１１６には、表示制御部１１３が接続されている。表示制御部１１３は、液晶ディスプレイ等の表示部１１２の表示画面に、受信部１１６で受信されたデータを表示させる。
【００３５】
運動管理装置２００は、携帯端末１００から送信されたデータを用いて、利用主体の運動管理情報を作成、送信、更新、および保存することで、利用主体の運動を管理する。本実施の形態では、運動管理装置２００は、前述の受信部２０１、運動推測部２０７、および運動管理情報作成部２０８に加え、運動管理情報データベース２０９と、位置情報処理部２１０と、運動情報処理部２１１と、送信部２１２と、を含んでいる。
【００３６】
本実施の形態では、受信部２０１は、携帯端末１００の送信部１１５から送信された、携帯端末１００の運動情報、位置情報、および気温情報を受信する。受信部２０１は、受信した位置情報、運動情報、および気温情報を、それぞれ、位置情報処理部２１０、運動情報処理部２１１、および運動管理情報作成部２０８へ出力する。
【００３７】
位置情報処理部２１０は、位置情報を処理するために設けられている。位置情報処理部２１０は、受信部２０１が受信した位置情報を基に、利用主体の現在地（図３（ｂ）参照）を求め、更に、利用主体の位置の変位から利用主体の移動速度（図３（ａ）参照）を求める。そして、求めた現在地および周辺地域の地図情報および施設情報と、移動速度と、を、運動推測部２０７へ送信する。具体的には、本実施の形態では、位置情報処理部２１０は、位置情報識別部２０２と、位置情報データベース２０４と、位置情報推測部２０６と、を備え、これらによって上述した処理を行う。
【００３８】
位置情報識別部２０２は、受信部２０１が受信した位置情報と、位置情報データベース２０４に格納されている地図情報と、を比較することにより、携帯端末１００の現在地および周辺に存在する施設を特定する。
【００３９】
位置情報データベース２０４は、携帯端末１００が利用される地域（例えば、日本）の地図情報および施設情報を格納している。図４に示すように、地図情報と施設情報とは互いに対応付けられた状態で格納されている。図４は、位置情報データベース２０４に格納されている地図情報および施設情報について説明するための概念図である。施設情報は、例えば、遊歩道、サイクリングロード、登山道、ビル、公園、スポーツ施設、河川等の情報を含む。図４では、施設情報の一例として、登山道、ビル、および公園が図示されている。また、本実施の形態では、位置情報データベース２０４には、気象予報データ、例えば、予想気温、予想湿度等も格納されている。気象予報データは、例えば、外部から、通信ネットワーク５０１等を介して位置情報データベース２０４へ与えられる。
【００４０】
位置情報識別部２０２は、受信部２０１で受信された位置情報と、位置情報データベース２０４に格納された地図情報および施設情報と、を読み込む。そして、位置情報識別部２０２は、位置情報に基づいて、携帯端末１００の現在地および周辺地域の地図情報および施設情報を取得し、取得した地図情報および施設情報を、位置情報推測部２０６へ出力する。位置情報推測部２０６は、位置情報識別部２０２から出力された位置情報および地図情報に基づいて、携帯端末１００の単位時間毎の位置データの変位を特定し、これから、携帯端末１００の移動速度（図２（ａ）参照）を計算する。また、位置情報推測部２０６は、利用主体の現在地および周辺地域の地図情報および施設情報により、利用者の運動が実施されているロケーションを推測する。
【００４１】
運動情報処理部２１１は、運動情報を処理するために設けられている。運動情報処理部２１１は、受信部２０１が受信した運動情報を基に、利用主体が行っている運動の運動パターンを識別し、識別した運動パターンを運動推測部２０７へ送信する。具体的には、本実施の形態では、運動情報処理部２１１は、運動情報識別部２０３と、運動情報データベース２０５と、を備え、これらによって、上述した処理を行う。
【００４２】
運動情報識別部２０３には、受信部２０１から運動情報が入力される。運動情報識別部２０３は、運動情報を基に、利用主体の動作パターンを作成する。具体的には、運動情報識別部２０３は、運動情報として取得した加速度センサ１０１の出力データを、ｎ時ｎ分ｎ秒（ｎはゼロまたは自然数）から例えば１０秒間分繋いで、動作パターンを作成する。更に、運動情報識別部２０３は、作成した動作パターンと、運動情報データベース２０５に格納されている参照パターンとを比較し、利用主体の運動パターンを識別する。運動情報データベース２０５は、利用主体が行う運動の種類毎に参照パターンを格納している。参照パターンは、当該運動を行う際の利用主体の動作を予測したパターンである。
【００４３】
参照パターンは、例えば、以下の手順で予め作成されている。まず、参照パターンを作成する際には、携帯端末１００を、固定装置を用いて、被験者の例えば腰に固定する。そして、被験者に種々の運動を行わせ、この時の加速度センサ１０１の検出結果から、被験者が行っている運動の特徴点を抽出することで、参照パターンを作成する。
【００４４】
参照パターンは、例えば、鉛直方向、前後方向および左右方向の３軸方向の加速度の時間変化から、被験者の動作の開始・終了位置、揺れ方向（鉛直方向、前後方向および左右方向の３軸方向）、揺れの強さ、および移動速度の４要素を測定し、測定結果を用いて作成される。具体的には、被験者に各運動を行わせ、運動毎にデータを取得し、パターンを作成する。更に、当該パターンから特徴点を取り出し、運動情報データベース２０５に格納する。特徴点は、動作パターンと参照パターンとの比較（マッチング）時に運動情報データベース２０５から取り出され、動作パターンとの比較に利用される。
【００４５】
上記の特徴点として、一定の動作が継続されているかどうかの情報、又は不規則な動きになっているかどうかの情報を例示することができる。また、特徴点として、加速度センサ１０１で検出される振幅の強さと周期を示す情報、衝撃の強さを示す情報を例示することができる。
【００４６】
参照パターンは、年齢、性別および体格などの身体のプロファイルが異なる複数の被験者毎に、種々の運動を行わせることによって作成されるのが好ましい。この場合、ウォーキング運動、サイクリング運動等の複数種類の運動毎、および年齢、性別、体格等の複数種類のプロファイル毎に、参照パターンが作成されることになる。
【００４７】
一方、動作パターンは、定期的に加速度センサ１０１の加速度を検出することにより作成される。例えば、単位時間としての１秒当たり、数回、加速度センサ１０１を用いて３軸方向の加速度の情報を検出し、これらの検出結果を用いて、例えばある方向での加速度を時系列に並べて繋ぎ合わせる。これにより、利用主体の動作パターンが作成される。
【００４８】
ここで、動作パターンと参照パターンについて図５を用いて具体的に説明する。図５は、動作パターンと参照パターンとの関係を説明するための概念図である。図５の例では、一例として、ウォーキング運動の動作パターンと参照パターンとが図示されている。
【００４９】
本実施の形態では、動作パターンは、加速度センサ１０１の検出結果から得られる、３軸方向のうちの少なくとも１軸方向の時間変化を用いて表される。より具体的には、図５では、鉛直方向および前後方向の加速度の値を縦軸、時間を横軸とした場合の、加速度の時間変化から得られるグラフとして、ウォーキング運動の動作パターンおよび参照パターンが表されている。本実施の形態では、ウォーキング運動の動作パターンおよび参照パターンは、鉛直方向と前後方向のそれぞれについて、作成される。
【００５０】
本実施の形態では、ウォーキング運動の参照パターン、ジョギング運動の参照パターン、および登山運動の参照パターンは、何れも、利用主体が自らの足を左右交互に地面に踏みつける運動であることから、共通である。ウォーキング運動、ジョギング運動、および登山運動の参照パターンでは、例えば、特徴点として、所定値（例えば、０．１Ｇ）以上の比較的大きな下向きの加速度が繰り返して生じるという情報、および前後方向の加速度の変化が鉛直方向の加速度の変化と比べて小さいという情報が挙げられる。
【００５１】
図５では、鉛直方向の動作パターンおよび前後方向の動作パターンは、それぞれ、ウォーキング運動に関する鉛直方向の参照パターンおよび前後方向の動作パターンと略一致している。したがって、運動情報識別部２０３は、動作パターンと参照パターンとを比較することにより、利用主体の運動パターンが例えばウォーキング運動時のものであると識別する。
【００５２】
また、本実施の形態では、運動情報データベース２０５は、ウォーキング運動の参照パターンに加え、サイクリング運動の参照パターン（図示せず）を格納することもできる。サイクリング運動の参照パターンでは、特徴点として、前記所定値未満の比較的小さな鉛直方向下向きの加速度が繰り返し生じるという情報が挙げられる。
【００５３】
各運動の参照パターンは、上述したように、身体のプロファイル毎に複数登録されている。よって、運動情報識別部２０３は、運動を行う前に例えば利用主体によって予め登録された、携帯端末１００の利用主体の身体のプロファイルに基づき、運動情報データベース２０５に格納された参照パターンのうち、最も近い参照パターンを絞り込み、これを参照する。尚、携帯端末１００の利用主体の身体のプロファイルは、利用主体によって、予め携帯端末１００を介して運動管理装置２００へ登録されている。
【００５４】
運動推測部２０７は、本実施の形態では、運動情報識別部２０３によって運動情報を基に識別された運動パターンと、位置情報識別部２０２が取得した地図情報および施設情報と、位置情報推測部２０６が推測した移動速度と、を基に、利用主体の運動の種類を推測する。
【００５５】
例えば、利用主体が遊歩道をウォーキング運動している場合、運動情報識別部２０３は、運動情報を基に動作パターンを作成し、参照パターンと比較することで、利用主体の運動パターンがウォーキング運動時、ジョギング運動時、または登山運動時のものであると識別する。また、この場合、位置情報識別部２０２は、利用主体の現在地および周辺地域の施設が遊歩道であると識別する。さらに、位置情報推測部２０６は、位置情報の変化を基に、利用主体の移動速度が時速４ｋｍ程度であると推測する。
【００５６】
この場合、運動推測部２０７は、運動情報識別部２０３が識別した運動パターンと、位置情報識別部２０２が取得した地図情報および施設情報としての遊歩道と、位置情報推測部２０６が推測した移動速度（時速４ｋｍ程度）と、を基に、利用主体の運動の種類が、ウォーキング運動であると推測する。
【００５７】
運動管理情報作成部２０８は、本実施の形態では、運動推測部２０７で推測された運動の種類を基に、利用主体が行っている運動の運動強度、運動時間、運動量、運動距離、および運動消費カロリーの各情報を作成する。
【００５８】
運動強度は、例えば、厚生労働省が発表している「健康づくりのための運動指針２００６（エクササイズガイド２００６）」に記載されている、運動の種類と運動強度との関係を基に決定される。
【００５９】
より具体的には、運動管理情報作成部２０８は、推測された運動がウォーキング運動である場合、運動強度を３．８（ｍｅｔｓ）とし、推測された運動がジョギング運動である場合、運動強度を７．０（ｍｅｔｓ）とし、推測された運動がサイクリング運動である場合、運動強度を８．０（ｍｅｔｓ）とする。
【００６０】
また、運動管理情報作成部２０８は、運動強度に運動時間を乗じた値を、運動量であると決定する。また、運動管理情報作成部２０８は、運動距離を、携帯端末１００の現在地の変化を基に決定する。
【００６１】
運動管理情報作成部２０８は、運動強度、運動時間、および気温センサ１０３を用いて得られた気温に応じた補正係数等を基に、利用主体の運動消費カロリーを計算する。
【００６２】
例えば、運動消費カロリーの計算式の一例として、上述したエクササイズガイド２００６に記載された簡易換算式を挙げることができる。この簡易換算式は、運動消費カロリーを、運動強度×運動時間×利用主体の体重×１．０５として計算する式である。尚、利用主体の体重情報は、利用主体が運動の開始前に携帯端末１００を操作することによって、運動管理装置２００へ与えられている。
【００６３】
運動管理情報作成部２０８は、例えば、この計算式から得られた運動消費カロリーに、気温に応じた補正係数を乗じることで、より正確な運動消費カロリーを計算する。
【００６４】
本実施の形態では、運動管理情報作成部２０８は、上述した利用主体の運動、運動時間、運動量、運動距離、および運動消費カロリーを含む、運動管理情報を作成する。また、運動管理情報作成部２０８は、気温情報を基に、必要に応じて、熱中症への注意を喚起する注意喚起情報を作成し、上記運動管理情報に追加する。本実施の形態では、利用主体の現在地および周辺地域の予想気温が、所定のしきい温度を超えている場合、運動管理情報作成部２０８は、注意喚起情報を作成する。
【００６５】
運動管理情報作成部２０８は、作成した運動管理情報を、運動管理情報データベース２０９に格納する。また、運動管理情報作成部２０８は、運動管理情報データベース２０９に格納された運動管理情報を、利用主体の携帯端末１００を介したリクエストに応じて、携帯端末１００へ送信する。
【００６６】
本実施の形態では、送信部２１２が設けられており、運動管理情報データベース２０９の運動管理情報は、運動管理情報作成部２０８によって読み込まれて送信部２１２へ送信され、更に、通信ネットワーク５０１を介して利用主体の携帯端末１００の受信部１１６へ送信される。尚、受信部２０１および送信部２１２によって、運動管理装置２００における通信部２１４が形成されている。
【００６７】
運動管理情報を受信した携帯端末１００の受信部１１６は、当該運動管理情報を、表示制御部１１３へ出力し、表示制御部１１３は、運動管理情報を表示部１１２の表示画面に表示させる。尚、運動管理情報は、運動管理装置２００から電子メールによって携帯端末１００に送信されてもよい。また、ｗｅｂ（world wide web）サイトのアドレスを記載したメールを運動管理装置２００から携帯端末１００へ送信し、携帯端末１００を当該ｗｅｂサイトにアクセスさせることで、運動管理情報が携帯端末１００へ送信されてもよい。
【００６８】
また、運動管理情報作成部２０８は、運動情報識別部２０３が作成した動作パターンを、参照パターンとして運動情報データベース２０５に格納することもできる。その際、運動管理情報作成部２０８は、動作パターンから抽出した特徴点も、運動情報データベース２０５に格納する。
【００６９】
[運動管理装置および運動管理システムの動作説明]
次に、本発明の実施の形態１における運動管理システム１の動作について図６を用いて説明する。図６は、本発明の実施の形態１における運動管理システム１および運動管理装置２００の動作を示すフロー図である。また、以下の説明においては、適宜図１〜図５を参酌する。また、本実施の形態１では、運動管理装置２００を動作させることによって、運動管理方法が、実施される。よって、本実施の形態１における運動管理方法の説明は、以下の運動管理装置２００の動作説明に代える。
【００７０】
[全体処理]
運動管理システム１が動作を開始すると、まず、携帯電話１００では、加速度センサ１０１が、運動情報を取得する（ステップＡ１）。加速度センサ１０１は、利用主体（携帯端末１００）の動作の開始・終了位置、揺れ方向（図２（ａ）参照）、揺れ強さ（図２（ｂ）参照）、および各揺れ方向における移動速度を、定期的に、例えば１秒当たり１回または複数回、測定する。
【００７１】
また、携帯端末１００では、加速度センサ１０１による測定と並行して、定期的に、例えば１秒間に１回、ＧＰＳ測位部１０２が、ＧＰＳ衛星からの信号を定期的に受信する。これにより、ＧＰＳ測位部１０２は、受信した信号に基づいて、利用主体の現在地および周辺地域の緯度および経度を含む利用主体の位置情報（図３（ａ）参照）を取得する（ステップＡ２）。尚、ステップＡ２では、ＧＰＳ測位部１０２は、高度を位置情報として取得してもよい。また、ステップＡ２では、ＧＰＳ測位部１０２は、ＧＰＳ衛星からの信号に加え、携帯端末１００の基地局からの信号を用いて、利用主体の位置情報を求めてもよいし、ＧＰＳ衛星からの信号を用いることなく、基地局等を含む他の測位システムの信号を用いて、利用主体の位置情報を取得してもよい。
【００７２】
また、携帯端末１００では、ＧＰＳ測位部１０２による位置情報の取得と並行して、温度センサ１０３は、利用主体の現在地の気温を測定するための気温情報を取得する（ステップＡ３）。そして、送信部１１５は、加速度センサ１０１が得た運動情報、ＧＰＳ測位部１０２が得た位置情報、および温度センサ１０３が得た温度情報を、運動管理装置２００の受信部２０１へ送信する（ステップＡ４）。
【００７３】
次に、運動管理装置２００では、位置情報識別部２０２は、受信部２０１が受信した位置情報を受け取る。そして、位置情報識別部２０２は、この位置情報と、位置情報データベース２０４に格納された地図情報とを比較することで、利用主体の現在地および周辺地域の地図情報および施設情報（図４参照）を特定する（ステップＡ５）。これら利用主体の現在地および周辺地域の地図情報および施設情報は、位置情報推測部２０６へ出力される。
【００７４】
次に、位置情報推測部２０６は、位置情報に基づいて携帯端末１００の現在地の単位時間毎の変位を求めることにより、利用主体の移動速度（図３（ａ）参照）を特定する（ステップＡ６）。そして、位置情報推測部２０６は、利用主体の移動速度の情報と、現在地および周辺地域の地図情報および施設情報とを、運動推測部２０７へ出力する。
【００７５】
次に、運動情報識別部２０３は、受信部２０１が受信した運動情報を受け取り、この運動情報を、ｎ時ｎ分ｎ秒から所定時間（例えば、１０秒間）、蓄積する（ステップＡ７）。そして、運動情報識別部２０３は、蓄積した所定時間分の運動情報を基に、利用主体の動作パターンを作成する（ステップＡ８）。その結果、本実施の形態では、図５に示す動作パターンが作成される。尚、ステップＡ５，Ａ６の処理と、ステップＡ７，Ａ８の処理とは、並行して行われてもよいし、ステップＡ７，Ａ８の処理が先に行われてもよい。
【００７６】
次に、運動情報識別部２０３は、利用主体の動作パターンと、運動情報データベース２０５に保存されている参照パターンとを比較することで、利用主体の運動パターンを識別する（ステップＡ９）。そして、識別した運動パターンを運動推測部２０７へ出力する。
【００７７】
尚、参照パターンとして、前述したように、運動パターン毎、および複数種類のプロファイル毎に、参照パターンが用意されている。利用主体の動作パターンと、参照パターンとを照合および比較する際には、運動情報識別部２０３は、登録されている利用主体の身体のプロファイルに最も近い被験者の参照パターンを絞り込み、この参照パターンと動作パターンとを比較する。
【００７８】
次に、ステップＡ５で位置情報識別部２０２が取得した、利用主体の現在地および周辺地域の地図情報および施設情報と、ステップＡ６で位置情報推測部２０６が特定した、利用主体の移動速度と、ステップＡ９で運動識別部２０３が識別した運動パターンと、を、運動推測部２０７が参照する。これにより、運動推測部２０７は、利用主体が実施している可能性の最も高い運動を推測する（ステップＡ１０）。運動の推測のより具体的な説明は、後述する。
【００７９】
次に、運動管理情報作成部２０８は、運動管理情報を作成する（ステップＡ１１）。運動管理情報の作成処理の詳細は、図７を用いて後述する。次いで、運動管理情報作成部２０８は、運動情報識別部２０３で作成した動作パターンの特徴点を抽出する（ステップＡ１２）。この特徴点は、前述した参照パターンの特徴点と同様である。
【００８０】
そして、運動管理情報作成部２０８は、特徴点を抽出した動作パターンを、運動情報データベース２０５へ送信し（ステップＡ１３）、これにより、運動情報データベース２０５は、当該動作パターンを参照パターンとして格納する。これにより、追加された参照パターンは、次回以降の参照パターンとして使用可能となる。また、ステップＡ１３では、運動管理情報作成部２０８は、作成した運動管理情報を、運動管理情報データベース２０９へ出力する。
【００８１】
これにより、運動管理情報データベース２０９には、運動管理情報が蓄積される。例えば、運動管理情報作成部２０８は、運動管理情報を、定期的に、例えば１時間毎に集計し、集計した運動管理情報を、運動管理情報データベース２０９へ送信する。
【００８２】
次に、運動管理情報作成部２０８は、運動管理情報データベース２０９に保存された運動管理情報を、読み込んで送信部２１２へ送信する。送信部２１２は、運動管理情報を、例えば電子メールによって、通信ネットワーク５０１を介して携帯端末１００の受信部１１６へ送信する（ステップＡ１４）。携帯端末１００は、受信部１１６で受信した運動管理情報を、表示制御部１１３へ送信する。表示制御部１１３は、運動管理情報を、表示部１１２の表示画面に表示させる。
【００８３】
尚、利用主体は、表示部１１２の表示画面に表示された運動の種類や運動内容が、間違っていると判断した場合、携帯端末１００を操作することにより、訂正情報を携帯端末１００へ入力することができる。この場合、携帯端末１００は、訂正情報を、送信部１１５から運動管理装置２００へ送信する。運動管理装置２００の運動管理情報作成部２０８は、訂正情報に基づいて、運動情報データベース２０５に格納されている運動管理情報、および運動管理情報データベース２０９に格納されている運動管理情報を訂正する。また、携帯端末１００では、ステップＡ１〜Ａ４は、所定の設定間隔で繰り返し（例えば、１秒毎に）行われ、運動管理装置２００では、ステップＡ５〜Ａ１３は、上記所定の設定間隔よりも長い設定間隔で繰り返し行われる。
【００８４】
[運動管理情報作成ステップ]
次に、運動管理情報作成部２０８における運動管理情報作成の処理の流れを図７を用いて具体的に説明する。図７は、運動管理情報作成の流れを説明するためのフロー図である。図７を参照しながら、運動管理情報作成部２０８における運動管理情報作成の流れを説明する。まず、運動管理情報作成部２０８は、利用主体の運動強度、運動時間、および運動距離を求める（ステップＡ２１）。運動強度は、例えば、上述した、厚生労働省発表のエクササイズ２００６に記載されている、運動の種類と運動強度との関係を示す表から求められる。運動時間は、加速度センサ１０１が利用主体の運動を検出してからの時間として求められる。運動距離は、位置情報の変化を基に求められる。
【００８５】
次に、運動管理情報作成部２０８は、利用主体の運動量および消費カロリーを算出する（ステップＡ２２）。より具体的には、運動管理情報作成部２０８は、求めた運動強度に運動時間を乗じることで、運動量を算出する。また、運動管理情報作成部２０８は、運動強度、運動時間、利用主体の体重に加え、気温センサ１０３を用いて得られた気温に応じた補正係数等を基に、利用主体の運動消費カロリーを計算する。上述した簡易換算式を基に、運動消費カロリーは、例えば、運動強度×運動時間×利用主体の体重×１．０５から得られる値に、気温に応じた補正係数が乗じられることで、得られる。
【００８６】
次に、運動管理情報作成部２０８は、運動の種類と、運動量と、運動消費カロリーと、運動時間と、運動距離を運動管理情報に追加する（ステップＡ２３）。
【００８７】
次いで、運動管理情報作成部２０８は、位置情報データベース２０４を参照し、利用主体の現在地および周辺地域における予想気温情報を読み込む（ステップＡ２４）。その後、運動管理情報作成部２０８は、現在地の気温情報を参照しつつ、予想最高気温Ｔｅｍａｘが、しきい温度Ｔｔｈ以上であるか否かを判定する（ステップＡ２５）。しきい温度Ｔｔｈは、例えばセ氏３５度である。
【００８８】
予想最高気温Ｔｅｍａｘがしきい温度Ｔｔｈ以上である場合、（ステップＡ２５でＹＥＳ）、運動管理情報作成部２０８は、注意喚起情報を作成し、当該注意喚起情報を運動管理情報に追加する（ステップＡ２６）。注意喚起情報とは、現在時刻よりも後の時刻において、熱中症に陥る可能性のある程度に、気温が上昇する可能性が高いことを示す情報である。ステップＡ２５でＮＯの場合には、注意喚起情報は作成されない。
【００８９】
[ウォーキング運動、ジョギング運動または登山運動が行われている場合の処理の流れの一例]
次に、利用主体がウォーキング運動を実施している場合を主な例に、上述した運動管理システム１の動作の要点を説明する。利用主体がウォーキング運動をしている場合、利用主体の腰には、鉛直下向きの比較的大きな加速度（例えば、０．１Ｇ以上）が繰り返し生じる。このときの腰の動きは、加速度センサ１０１によって運動情報として計測される（ステップＡ１）。
【００９０】
ステップＡ１と並行して、ステップＡ２、Ａ３が行われる。その後、ステップＡ４が行われることにより、運動情報、位置情報、および温度情報が、受信部２０１へ出力される。
【００９１】
位置情報識別部２０２は、位置情報データベース２０４のデータを読み込み、受信部２０１が受信した位置情報に対応する、ユーザの現在地および周辺地域の地図情報および施設情報を特定する（ステップＡ５）。このとき、利用主体の現在地は、ウォーキング運動を行う施設、例えば遊歩道であるので、位置情報識別部２０２は、利用主体の現在地および周辺地域の施設情報が遊歩道であることを識別する。そして、位置情報識別部２０２は、利用主体の現在地および周辺地域の地図情報および施設情報を、位置情報推測部２０６へ出力する。次いで、位置情報推測部２０６は、位置情報から特定される利用者の現在地の変化を基に、利用主体の移動速度を特定する（ステップＡ６）。
【００９２】
次に、運動情報識別部２０３は、利用主体の動作パターンを作成し（ステップＡ７、Ａ８）、利用主体の運動パターンを識別する（ステップＡ９）。ウォーキング運動の動作パターンの特徴点として、動作パターン中の鉛直方向成分の振動と衝撃の変化について、振動の幅がほぼ一定で、サイクリング時よりも衝撃が大きい（例えば、加速度が０．１Ｇ以上）ことが挙げられる。よって、運動情報識別部２０３は、動作パターンと参照パターンとの比較の結果、利用主体の運動パターンが、ウォーキング運動、ジョギング運動または登山運動であると識別する。そして、運動情報識別部２０３が識別した運動パターンを、運動推測部２０７へ送信する。
【００９３】
運動場情報推測部２０７は、利用主体の現在地および周辺地域の地図情報および施設情報（ロケーション）と、利用主体の移動速度と、運動情報識別部２０３が識別した運動パターンと、を参照する。これにより、運動推測部２０７は、利用主体が実施している可能性の高い運動を推測する（ステップＡ１０）。
【００９４】
この場合、施設情報および利用主体の移動速度によると、利用主体は、遊歩道に沿って、略一定の歩行速度（例えば、時速４ｋｍ程度）で移動している。また、運動情報識別部２０３では、利用主体の運動パターンが、ウォーキング運動、ジョギング運動または登山運動の動作パターンであると識別されている。よって、運動推測部２０７は、これらの情報から、利用主体の実施している運動が、ウォーキング運動であると推測する。その後、前述した、ステップＡ１１〜Ａ１４の処理が行われる。
【００９５】
尚、移動速度が、歩行速度よりも大きい略一定の速度（例えば、時速１０ｋｍ程度）であれば、ステップＡ１０において、運動推測部２０７は、利用主体の実施している運動がジョギング運動であると推測する。
【００９６】
また、位置情報識別部２０２において、利用主体の現在地の施設情報が登山道であると識別され、且つ、位置情報推測部２０６において、利用主体が鉛直方向に頻繁に移動していると識別される場合がある。この場合、ステップＡ１０において、運動推測部２０７は、利用主体が登山運動をしていると推測する。
【００９７】
[サイクリング運動が行われている場合の処理の流れの一例]
次に、利用主体がサイクリングロードにおいてサイクリング運動を実施している場合を例に、上述した運動管理システム１の動作の要点を説明する。利用主体が自転車に乗ってサイクリング運動をしている場合、利用主体の腰から上では、鉛直方向における運動は殆ど生じないと考えられる。したがって、加速度センサ１０１からは、鉛直方向での動きが小さく、前後方向および左右方向での動きが大きい運動情報が取得される。（ステップＡ１）。ステップＡ１と並行して、ステップＡ２、Ａ３が行われる。その後、ステップＡ４が行われることにより、運動情報、位置情報、および温度情報が、受信部２０１へ出力される（ステップＡ４）。
【００９８】
位置情報識別部２０２は、位置情報データベース２０４のデータを読み込み、受信部２０１が受信した位置情報に対応する、ユーザの現在地および周辺地域の地図情報および施設情報を特定する（ステップＡ５）。このとき、利用主体の現在地は、サイクリングロードであるので、位置情報識別部２０２は、利用主体の現在地および周辺地域の施設情報がサイクリングロードであることを識別する。そして、位置情報識別部２０２は、利用主体の現在地および周辺地域の地図情報および施設情報を、位置情報推測部２０６へ出力する。次いで、位置情報推測部２０６は、位置情報から特定される利用主体の現在地の移動履歴を基に、利用主体の移動速度を特定する（ステップＡ６）。
【００９９】
次に、運動情報識別部２０３は、利用主体の動作パターンを作成し（ステップＡ７、Ａ８）、利用主体の運動パターンを識別する（ステップＡ９）。サイクリング運動時の動作パターンの特徴点として、動作パターン中の鉛直方向成分の振動と衝撃の変化について、振動の幅がほぼ一定で、ウォーキング運動時よりも衝撃が小さいことが挙げられる。更に、サイクリング運動時の動作パターンの特徴点として、前後方向および左右方向での加速度について、ウォーキング運動時よりも大きいことが挙げられる。よって、運動情報識別部２０３は、動作パターンと参照パターンとの比較の結果、利用主体の動作パターンが、サイクリング運動時のものであると識別する。そして、運動情報識別部２０３が運動情報から識別した運動パターンを、運動推測部２０７へ送信する。
【０１００】
運動推測部２０７は、利用主体の現在地および周辺地域の地図情報および施設情報（ロケーション）と、利用主体の移動速度と、運動情報識別部２０３が識別した運動パターンと、を参照する。これにより、運動推測部２０７は、利用主体が実施している可能性の高い運動を推測する（ステップＡ１０）。
【０１０１】
この場合、施設情報、および利用主体の移動速度によると、利用主体は、サイクリングロードに沿って、ウォーキング運動時およびジョギング運動時よりも速い速度で移動している。また、運動情報識別部２０３では、利用者の運動が、サイクリング運動であると識別されている。よって、運動推測部２０７は、利用主体の実施している運動が、サイクリング運動であると推測する。その後、前述した、ステップＡ１１〜Ａ１４の処理が行われる。
【０１０２】
本発明の実施の形態１におけるプログラムは、コンピュータに、図６および図７に示すステップＡ５〜Ａ１４、およびステップＡ２１〜Ａ２６を実行させるプログラムであればよい。このプログラムをコンピュータにインストールし、実行することによって、本実施の形態１における運動管理装置２００と、運動管理方法とを実現することができる。この場合、コンピュータのＣＰＵ（Central Processing Unit）は、位置情報識別部２０２、位置情報推測部２０６、運動情報識別部２０３、運動推測部２０７、および運動管理情報作成部２０８として機能し、処理を行なう。
【０１０３】
また、本実施の形態１では、位置情報データベース２０４、運動情報データベース２０５、および運動管理情報データベース２０９は、コンピュータに備えられたハードディスク等の記憶装置に、これらを構成するデータファイルを格納することによって実現できる。また、位置情報データベース２０４、運動情報データベース２０５、および運動管理情報データベース２０９は、別のコンピュータによって構築されてもよい。
【０１０４】
以上のように本実施の形態１では、利用主体は、運動を行う度に、運動の種類、運動強度、および運動時間等を入力するという煩雑な作業を行わずに済む。更に、利用主体は、気温を考慮した、より正確な運動消費カロリーを知ることができる。よって、本実施の形態によれば、携帯端末１００の利用主体の運動状態、例えば、消費カロリーを、より簡易に、且つ、より精度よく求めることができる。
【０１０５】
また、本実施の形態では、利用主体の運動内容が自動的に識別される。これにより、通勤、通学等、利用主体が運動として意識していない日常の行動についても、位置情報、運動情報および気温情報が計測され、運動管理情報に反映されるので、より木目細かい運動管理情報、例えば健康管理情報の利用主体への提供が可能となる。
【０１０６】
また、本実施の形態１では、運動管理情報作成部２０８は、気温情報および予想気温情報を参照して、消費カロリー、および注意喚起情報等を特定する運動管理情報を作成する。これにより、本実施の形態では、運動管理装置２００は、より正確な運動消費カロリーを携帯端末１００に表示できる。また、運動管理装置２００は、必要に応じて、利用主体へ熱中症対策を促すメッセージ等を、携帯端末１００に表示できる。
【０１０７】
また、本実施の形態１では、運動管理情報作成部２０８は、運動消費カロリー、運動時間、および運動距離を含む運動管理情報を作成し、当該運動管理情報は、携帯端末１００に表示される。これにより、利用主体は、自ら立てた運動プラン等と、運動管理情報とを見比べ、利用主体にとって適切な運動を行うことができる。よって、利用主体は、より効率のよい運動管理を行うことができる。
【０１０８】
また、本実施の形態１では、運動情報処理部２１１の運動情報識別部２０３は、運動情報に基づいて得られる動作パターンと、参照パターンとを照合することにより、利用主体が行う運動の運動パターンを識別する。このため、利用主体が行う運動は、より正確に識別されることになる。
【０１０９】
また、本実施の形態１では、運動推測部２０７は、利用主体の現在地に関する地図情報および施設情報と、運動情報識別部２０３が識別した運動パターンとを参照することにより、利用主体が行っている運動を推測する。つまり、運動推測部２０７は、利用主体が行っている運動を、利用主体の現在地および周辺地域のロケーションを考慮して推測することができる。その結果、利用主体の運動を、より正確に推測することができる。
【０１１０】
また、本実施の形態１では、運動推測部２０７は、利用主体の移動速度を参照して、利用主体が行っている運動を推測する。これにより、似た運動、例えば、ウォーキング運動とジョギング運動とをより確実に区別することができる。よって、運動推測部２０７は、利用主体が行っている運動をより正確に推測することができる。
【０１１１】
（実施の形態２）
次に本発明の実施の形態２における運動管理システム１について、図面を参照しながら説明する。図８は、本発明の実施の形態２における運動管理システム１の構成を示すブロック図である。尚、以下では、実施の形態１と異なる点について主に説明し、実施の形態１と同様の構成には、図に同一の符号を付してその説明を省略する。
【０１１２】
本実施の形態２では、運動管理システム１は、携帯端末１００の利用主体の行動を支援する。運動管理システム１は、例えば、携帯端末１００を利用する利用主体としての高齢者または身体障害者が、徘徊等の異常行動または転倒事故を起こした場合に、利用主体に異常が生じていることを示す情報を、携帯端末１００とは別の端末１２０に表示する。
【０１１３】
本実施の形態２では、運動管理システム１は、携帯端末１００とは別の端末１２０を更に含んでいる。端末１２０は、例えば、病院の看護師等の介護者が所持する。本実施の形態では、端末１２０としても、携帯端末１００と同様に、携帯電話およびスマートフォンを例示することができる。
【０１１４】
端末１２０は、液晶ディスプレイ等の表示部１２１と、表示部１２１を制御する表示制御部１２２とを備えている。本実施の形態２では、運動管理情報作成部２０８は、運動管理情報データベース２０９に格納されている運動管理情報を読み込み、読み込んだ運動管理情報を、送信部２１２によって、通信ネットワーク５０１を介して表示制御部１２２へ出力する。
【０１１５】
表示制御部１２２は、表示部１２１の表示画面に、送信された運動管理情報を表示する。これにより、携帯端末１００の利用主体の運動管理情報が、端末１２０の表示部１２１の表示画面に表示される。また、本実施の形態２では、運動情報データベース２０５は、徘徊行動時の被験者の動作パターンを、参照パターンとして格納している。
【０１１６】
[利用主体が徘徊歩行運動を行っている場合の処理の流れの一例]
次に、図６および図８を参照しながら、道路上で同じルートを繰り返し周回歩行する徘徊歩行運動を利用主体が行っている場合を例に、本実施の形態２における運動管理システム１の動作の要点を説明する。利用主体が例えば道路を徘徊歩行している場合、利用主体の腰には、鉛直下向きに比較的大きな加速度が発生する（例えば、０．１Ｇ以上）。このときの腰の動きは、加速度センサ１０１において運動情報として計測される（ステップＡ１）。
【０１１７】
ステップＡ１の動作と並行して、ステップＡ２、Ａ３が行われる。その後、ステップＡ４が行われることにより、加速度センサ１０１が得た運動情報、ＧＰＳ測位部１０２が得た位置情報、および温度センサ１０３が得た温度情報は、受信部２０１へ出力される。
【０１１８】
位置情報識別部２０２は、位置情報データベース２０４のデータを読み込み、受信部２０１が受信した位置情報に対応する、利用主体の現在地のおよび周辺地域の地図情報および施設情報を特定する（ステップＡ５）。このとき、利用主体の現在地が道路とすると、位置情報識別部２０２は、利用主体の現在地および周辺地域の施設情報が道路であることを識別する。そして、位置情報識別部２０２は、利用主体の現在地および周辺地域の地図情報および施設情報を、位置情報推測部２０６へ出力する。次いで、位置情報推測部２０６は、位置情報から特定される利用主体の現在地の変化を基に、利用主体の移動速度を特定する（ステップＡ６）。
【０１１９】
次に、運動情報識別部２０３は、利用主体の動作パターンを作成し（ステップＡ７、Ａ８）、利用主体の運動パターンを識別する（ステップＡ９）。この場合の携帯端末１００の利用主体の歩行運動の動作パターンの特徴点は、前述したウォーキング運動時、ジョギング運動時または登山運動時の動作パターンの特徴点と同様である。よって、運動情報識別部２０３は、動作パターンと参照パターンとを比較した結果、利用主体の運動パターンがウォーキング運動時、ジョギング運動時、または登山運動時のものであると識別する。そして、識別した運動パターンを、運動推測部２０７へ送信する。
【０１２０】
運動推測部２０７は、利用主体の現在地および周辺地域の地図情報および施設情報（ロケーション）と、利用主体の移動速度と、運動情報識別部２０３が識別した運動パターンと、を参照する。これにより、運動推測部２０７は、利用主体が現在地で実施している可能性の高い運動を推測する（ステップＡ１０）。
【０１２１】
この場合、携帯端末１００の利用主体は、道路に沿って、略一定の速度（例えば、時速２ｋｍ程度）で同じルートを繰り返し周回している。また、運動情報識別部２０３では、利用主体の運動パターンが、ウォーキング運動時、ジョギング運動時、または登山運動時のものであると識別されている。よって、運動推測部２０７は、利用主体の実施している運動が徘徊歩行運動であると推測する。
【０１２２】
次に、運動管理情報作成部２０８は、運動管理情報を作成する（ステップＡ１１）。具体的には、運動管理情報作成部２０８は、推測された運動が徘徊運動であることと、利用主体の現在位置とを、運動管理情報に組み込む。また、運動管理情報作成部２０８は、所定の条件（図７のステップＡ２５参照）を満たす場合に、注意喚起情報を運動管理情報に加える（ステップＡ１２）。
【０１２３】
その後、ステップＡ１２〜Ａ１３の処理が行われ、次いで、運動管理情報データベース２０９に格納された運動管理情報は、運動管理情報作成部２０８によって読み込まれた後、送信部２１２から、ネットワーク５０１を介して端末１２０の表示制御部１２２へ送信される（ステップＡ１４）。
【０１２４】
この場合、介護者は、徘徊運動を行う傾向にある利用主体（高齢者）に常時付き添うことなく、利用主体の徘徊運動および徘徊場所を、端末１２０を通じてリアルタイムで把握することができる。その結果、運動管理装置２００は、徘徊行動が発生した場合に、その旨の警告および利用主体の現在地を、端末１２０を介して、介護者に通知することもできる。よって、本実施の形態２によれば、介護者の負担を軽減しつつ、利用主体に充分なケアを施すことができる。
【０１２５】
尚、上記実施の形態２では、利用主体が徘徊歩行運動を行う場合を例に説明したが、本実施の形態２は、利用主体が徘徊歩行運動を行う場合に限定されるものではない。例えば、実施の形態２において、利用主体が転倒した場合には、位置情報推測部２０６は、当該転倒を示す運動管理情報を端末１２０へ送信することもできる。この場合、例えば、利用主体が転倒した際の、鉛直下向きの大きな（例えば、０．５Ｇ以上の）加速度が、加速度センサ１０１によって検出される結果、運動推測部２０７は、利用者が転倒したと推測できる。そして、運動管理装置２００は、利用主体が転倒したことを示す情報を含む運動管理情報を、端末１２０へ送信する。
【０１２６】
この場合、介護者は、高齢者および障害者等の利用主体について、外出等の行動の監視と支援を行なうことができる。より具体的には、利用主体が歩行中に転倒等した場合に、端末１２０にその旨および利用主体の現在地が報知されるので、介護者は、迅速に対応でき、利用主体に充分なケアを施すことができる。
【０１２７】
（変形例）
（１）各上記実施の形態では、利用主体に固定した携帯端末１００の温度センサ１０３を用いて、利用主体の現在地の気温情報を取得する構成が説明されているが、この通りでなくてもよい。例えば、利用主体の現在地および周辺地域の気温が、インターネットの気象情報サイトに掲載されている場合に、当該気象情報サイトの気温情報を受信部２０１が受け取るようにしてもよい。この場合、携帯端末１００に温度センサ１０３を設ける必要がない。
【０１２８】
（２）また、上記実施の形態１において、推測された運動の種類に応じて、運動管理情報を変更してもよい。例えば、運動管理情報作成部２０８は、利用主体がウォーキング運動、ジョギング運動、又はサイクリング運動を行っていると推測した場合、運動管理情報に、運動時の総移動距離を加えるようにしてもよい。また、運動管理情報作成部２０８は、利用主体が縄跳び運動を行っていると推測した場合、運動管理情報に、縄跳びの跳躍回数を加えてもよい。
【０１２９】
（３）また、上記実施の形態２では、利用主体が人間である例を説明したけれども、利用主体が人間以外であってもよい。例えば、利用主体は、牛、馬等の家畜であってもよい。利用主体が家畜である場合には、運動情報データベース２０５には、家畜の種々の運動の参照パターンが格納される。そして、運動情報識別部２０３は、家畜に固定された加速度センサ１０１からの運動情報を基に、動作パターンを作成し、当該動作パターンと参照パターンとを比較し、家畜の運動パターンを識別する。運動推測部２０７は、運動情報識別部２０３で識別された運動パターンと、位置情報識別部２０２で識別されたロケーションと、位置情報推測部２０６で推測された家畜の移動速度と、を基に、家畜が行っている運動を推測する。
【０１３０】
この場合、携帯端末１００を家畜に装着することで、放牧中の家畜の位置および運動状態をリアルタイムで監視することができる。よって、家畜に異常が起きた場合、速やかに対処することができる。また、家畜の運動管理情報を運動情報管理データベース２０９に自動的に蓄積・保存することができる。このため、家畜の運動を細かく把握することができ、その結果、例えば、利用主体が競走馬であるとすると、調教時に、より密度の高い育成を行なうことができる。
【０１３１】
上述した実施の形態の一部又は全部は、以下に記載する（付記１）〜（付記２４）によって表現することができるが、以下の記載に限定されるものではない。
【０１３２】
（付記１）
携帯端末の位置を特定する位置情報と、前記携帯端末に備えられた加速度センサによって取得された、前記携帯端末の運動情報と、前記位置での気温情報と、を受信する受信部と、
前記位置情報および前記運動情報に基づいて、前記携帯端末の利用主体が行う運動を推測する運動推測部と、
推測された前記運動および前記気温情報に基づいて、前記利用主体の運動を管理するための運動管理情報を作成する運動管理情報作成部と、
前記運動管理情報を外部に送信する送信部と、
を備えていることを特徴とする、運動管理装置。
【０１３３】
（付記２）
前記運動管理情報作成部は、予めデータベースに格納されている、前記位置の気温を予想した予想気温情報と、前記位置での前記気温情報とを参照し、前記位置での気温が所定地以上となり得る場合に、前記利用主体に対する注意を促す注意喚起情報を含む前記運動管理情報を作成する、付記１に記載の運動管理装置。
【０１３４】
（付記３）
前記運動管理情報は、推測された前記運動によって前記利用主体が消費した運動消費カロリー、前記運動が行われた時間、および前記運動によって前記利用主体が移動した距離の少なくとも１つを含む、付記１または付記２に記載の運動管理装置。
【０１３５】
（付記４）
前記運動情報を処理する運動情報処理部を更に備え、
前記運動情報処理部は、予めデータベースに格納されている、前記利用主体が運動を行う際の前記利用主体の動作を予測した参照パターンと、前記運動情報に基づいて得られる前記利用主体の動作パターンとを比較することにより、前記利用主体の運動パターンを識別する、付記１〜付記３のいずれかに記載の運動管理装置。
【０１３６】
（付記５）
前記位置情報を処理するための位置情報処理部を更に備え、
前記位置情報処理部は、予めデータベースに格納されている地図情報および施設情報に基づいて、前記位置に関する施設情報を特定し、
前記運動推測部は、前記位置情報処理部によって特定された前記位置に関する施設情報と、前記識別された運動パターンとを参照することにより、前記運動を推測する、付記４に記載の運動管理装置。
【０１３７】
（付記６）
前記位置情報処理部は、前記位置情報から前記携帯端末の前記位置の変化を特定し、特定した変化に基づいて前記携帯端末の移動速度を求め、求めた移動速度の情報を前記運動推測部へ出力し、
前記運動推測部は、前記移動速度を参照して前記運動を推測する、付記５に記載の運動管理装置。
【０１３８】
（付記７）
加速度センサを有し、利用主体によって保持される携帯端末と、
前記利用主体の運動を管理する運動管理装置と、を備え、
前記運動管理装置は、
前記携帯端末の位置を特定する位置情報と、前記加速度センサによって取得された、前記携帯端末の運動情報と、前記位置での気温情報と、を受信する受信部と、
前記位置情報および前記運動情報に基づいて、前記利用主体が行う運動を推測する運動推測部と、
推測された前記運動および前記気温情報に基づいて、前記利用主体の運動を管理するための運動管理情報を作成する運動管理情報作成部と、
前記運動管理情報を外部へ送信する送信部と、
を備えていることを特徴とする、運動管理システム。
【０１３９】
(付記８)
前記運動管理情報作成部は、予めデータベースに格納されている、前記位置の気温を予想した予想気温情報と、前記位置での前記気温情報とを参照し、前記位置での気温が所定値以上となり得る場合に、前記利用主体に対する注意を促す注意喚起情報を含む前記運動管理情報を作成する、付記７に記載の運動管理システム。
【０１４０】
（付記９）
前記運動管理情報は、推測された前記運動によって前記利用主体が消費した運動消費カロリー、前記運動が行われた時間、および前記運動によって前記利用主体が移動した距離の少なくとも１つを含む、付記７または付記８に記載の運動管理装置。
【０１４１】
（付記１０）
前記運動情報を処理する運動情報処理部を更に備え、
前記運動情報処理部は、予めデータベースに格納されている、前記利用主体が運動を行う際の前記利用主体の動作を予測した参照パターンと、前記運動情報に基づいて得られる前記利用主体の動作パターンとを比較することにより、前記利用主体の運動パターンを識別する、付記７〜付記９のいずれかに記載の運動管理システム。
【０１４２】
（付記１１）
前記位置情報を処理するための位置情報処理部を更に備え、
前記位置情報処理部は、予めデータベースに格納されている地図情報および施設情報に基づいて、前記位置に関する施設情報を特定し、
前記運動推測部は、前記位置情報処理部によって特定された前記位置に関する施設情報と、前記識別された運動パターンとを参照することにより、前記運動を推測する、付記１０に記載の運動管理システム。
【０１４３】
（付記１２）
前記位置情報処理部は、前記位置情報から前記携帯端末の前記位置の変化を特定し、特定した変化に基づいて前記携帯端末の移動速度を求め、求めた移動速度の情報を前記運動推測部へ出力し、
前記運動推測部は、前記移動速度を参照して前記運動を推測する、付記１１に記載の運動管理システム。
【０１４４】
（付記１３）
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を含むことを特徴とする、運動管理方法。
【０１４５】
（付記１４）
前記ステップ（ｃ）において、前記位置での気温が所定値以上となり得る場合に、前記利用主体に対する注意を促す注意喚起情報を含む前記運動管理情報を作成する、付記１３に記載の運動管理方法。
【０１４６】
（付記１５）
前記運動管理情報は、推測された前記運動によって前記利用主体が消費した運動消費カロリー、前記運動が行われた時間、および前記運動によって前記利用主体が移動した距離の少なくとも１つを含む、付記１３または付記１４に記載の運動管理方法。
【０１４７】
（付記１６）
（ｅ）前記ステップ（ｂ）に先立ち、前記利用主体が行う運動の運動パターンを識別するステップを更に含み、
前記ステップ（ｅ）では、前記利用主体が運動を行う際の前記利用主体の動作を予測した参照パターンと、前記運動情報に基づいて得られる前記利用主体の動作パターンとを比較することにより、前記利用主体の運動パターンを識別する、付記１３〜付記１５のいずれかに記載の運動管理方法。
【０１４８】
（付記１７）
前記ステップ（ｂ）では、前記位置に関する施設情報と、前記識別された運動パターンとを参照することにより、前記運動を推測する、付記１６に記載の運動管理方法。
【０１４９】
（付記１８）
前記ステップ（ｂ）では、前記携帯端末の移動速度を参照して前記運動を推測する、付記１７に記載の運動管理方法。
【０１５０】
（付記１９）
コンピュータに、
（ａ）携帯端末の位置を特定する位置情報と、前記携帯端末に備えられた加速度センサによって取得された、前記携帯端末の運動情報と、前記位置での気温情報と、を受信するステップと、
（ｂ）前記位置情報および前記運動情報に基づいて、前記携帯端末の利用主体が行う運動を推測するステップと、
（ｃ）推測された前記運動および前記気温情報に基づいて、前記利用主体の運動を管理するための運動管理情報を作成するステップと、
（ｄ）前記運動管理情報を外部へ送信するステップと、
を実行させることを特徴とするプログラム。
【０１５１】
（付記２０）
前記ステップ（ｃ）において、前記位置での気温が所定値以上となり得る場合に、前記利用主体に対する注意を促す注意喚起情報を含む前記運動管理情報を作成する、付記１９に記載のプログラム。
【０１５２】
（付記２１）
前記運動管理情報は、推測された前記運動によって前記利用主体が消費した運動消費カロリー、前記運動が行われた時間、および前記運動によって前記利用主体が移動した距離の少なくとも１つを含む、付記１９または付記２０に記載プログラム。
【０１５３】
（付記２２）
（ｅ）前記ステップ（ｂ）に先立ち、前記利用主体が行う運動の運動パターンを識別するステップを更に含み、
前記ステップ（ｅ）では、前記利用主体が運動を行う際の前記利用主体の動作を予測した参照パターンと、前記運動情報に基づいて得られる前記利用主体の動作パターンとを比較することにより、前記利用主体の運動パターンを識別する、付記１９〜付記２１のいずれかに記載のプログラム。
【０１５４】
（付記２３）
前記ステップ（ｂ）では、前記位置に関する施設情報と、前記識別された運動パターンとを参照することにより、前記運動を推測する、付記２２に記載の運動管理方法。
【０１５５】
（付記２４）
前記ステップ（ｂ）では、前記携帯端末の移動速度を参照して前記運動を推測する、付記２３に記載のプログラム。
【産業上の利用可能性】
【０１５６】
本発明は、携帯端末の利用主体の運動に関する情報を管理する、運動管理装置、運動管理システム、運動管理方法、およびプログラムに適用することができる。
【符号の説明】
【０１５７】
１      運動管理システム
１００  携帯端末
１０１  加速度センサ
２００  運動管理装置
２０１  受信部
２０７  運動推測部
２０８  運動管理情報作成部
２１０  位置情報処理部
２１１  運動情報処理部
２１２  送信部
Ｔ      気温
Ｔｔｈ  しきい温度（所定値）
【図１】
2013037543.tif 000003
【図２】
2013037543.tif 000004
【図３】
2013037543.tif 000005
【図４】
2013037543.tif 000006
【図５】
2013037543.tif 000007
【図６】
2013037543.tif 000008
【図７】
2013037543.tif 000009
【図８】
2013037543.tif 000010